(57)【特許請求の範囲】
【請求項１】
コンピュータが実行する、
店舗で決済を行うための決済用コードを生成するための決済用トークンを記憶部に記憶させるとともに、前記店舗を識別する店舗識別情報と、前記店舗に固有の店舗固有情報を記憶部に記憶させるステップと、
前記店舗において決済を行うユーザの端末から、前記ユーザの前記店舗における決済金額と、前記端末が前記決済金額を表示したタイミングで前記店舗の店員から取得した前記店舗固有情報と、前記端末が前記店舗において表示されたコードを読み取ることにより取得した前記決済用トークンとを受信するステップと、
前記端末から受信した前記店舗固有情報及び前記決済用トークンが前記記憶部に記憶されている場合に、前記端末から受信した前記決済金額に基づいて決済を実行するステップと、
を有する決済処理方法。
【請求項２】
前記端末が実行する、前記端末に表示された前記決済金額を編集できないように前記端末が制御されている前記タイミングで前記店舗固有情報を取得するステップをさらに有する、
請求項１に記載の決済処理方法。
【請求項３】
前記店舗固有情報を取得するステップにおいて、前記端末は、前記コードを読み取り後、前記ユーザから前記決済金額の入力を受け付けて前記決済金額を表示した前記タイミングで前記店舗の店員から前記店舗固有情報を取得する、
請求項２に記載の決済処理方法。
【請求項４】
前記記憶させるステップにおいて、前記コンピュータは、前記店舗固有情報としての前記店舗の店員の生体情報を前記記憶部に記憶させ、
前記決済用トークンを受信するステップにおいて、前記コンピュータは、前記端末が取得した前記生体情報を前記店舗固有情報として受信する、
請求項１から３のいずれか１項に記載の決済処理方法。
【請求項５】
前記記憶させるステップにおいて、前記コンピュータは、前記生体情報としての前記店舗の店員の虹彩又は声を前記記憶部に記憶させる、
請求項４に記載の決済処理方法。
【請求項６】
前記記憶させるステップにおいて、前記コンピュータは、前記店舗固有情報としてのジェスチャーを示すジェスチャー情報を前記記憶部に記憶させ、
前記決済用トークンを受信するステップにおいて、前記コンピュータは、前記端末が読み取ったジェスチャーを示す前記ジェスチャー情報を前記店舗固有情報として受信する、
請求項１から３のいずれか１項に記載の決済処理方法。
【請求項７】
前記記憶させるステップにおいて、前記コンピュータは、前記店舗固有情報としてのパスワードを前記記憶部に記憶させ、
前記決済用トークンを受信するステップにおいて、前記コンピュータは、前記端末が取得したパスワードを前記店舗固有情報として受信する、
請求項１から３のいずれか１項に記載の決済処理方法。
【請求項８】
前記記憶させるステップにおいて、前記コンピュータは、前記店舗識別情報と、前記決済用トークンとを関連付けて前記記憶部に記憶させるとともに、前記店舗識別情報と前記店舗固有情報とを関連付けて前記記憶部に記憶させ、
前記決済を実行するステップにおいて、前記コンピュータは、前記端末から受信した店舗固有情報と、前記決済用トークンに対応する前記店舗識別情報とが関連付けられて前記記憶部に記憶されている場合に、前記端末から受信した前記決済金額と、前記端末から受信した前記決済用トークンに対応する前記店舗識別情報とに基づいて決済を実行する、
請求項１から７のいずれか１項に記載の決済処理方法。
【請求項９】
前記記憶させるステップにおいて、前記コンピュータは、前記決済用トークンと、前記店舗固有情報とを関連付けて前記記憶部に記憶させ、
前記決済を実行するステップにおいて、前記コンピュータは、前記端末から受信した店舗固有情報と、前記決済用トークンとが関連付けられて前記記憶部に記憶されている場合に、前記端末から受信した前記決済金額に基づいて決済を実行する、
請求項１から８のいずれか１項に記載の決済処理方法。
【請求項１０】
前記コンピュータが実行する、前記決済を実行するステップにおいて、前記端末から受信した店舗固有情報が前記記憶部に記憶されていない場合に、前記端末に前記店舗固有情報が一致しないことを示す情報を通知するステップをさらに有する、
請求項１から９のいずれか１項に記載の決済処理方法。
【請求項１１】
店舗で決済を行うための決済用コードを生成するための決済用トークンを記憶部に記憶させるとともに、前記店舗を識別する店舗識別情報と、前記店舗に固有の店舗固有情報を記憶部に記憶させる記憶制御部と、
前記店舗において決済を行うユーザの端末から、前記ユーザの前記店舗における決済金額と、前記端末が前記決済金額を表示したタイミングで前記店舗の店員から取得した前記店舗固有情報と、前記端末が前記店舗において表示されたコードを読み取ることにより取得した前記決済用トークンとを受信する決済用情報受信部と、
前記端末から受信した前記店舗固有情報及び前記決済用トークンが前記記憶部に記憶されている場合に、前記端末から受信した前記決済金額に基づいて決済を実行する決済処理部と、
を有する決済処理装置。
【請求項１２】
コンピュータを、
ユーザから、店舗における決済金額の入力を受け付ける受付部、
前記受付部が入力を受け付けた前記決済金額を表示部に表示させる表示制御部、
画像を読み取る読取部が読み取った決済を行うための決済用コードを取得するとともに、前記決済金額が前記表示部に表示されたタイミングで前記店舗の店員から前記決済用コードと異なる前記店舗に固有の店舗固有情報を取得する取得部、
前記受付部が入力を受け付けた前記決済金額と、前記取得部が取得した前記店舗固有情報と、前記決済用コードが示す決済用トークンとを、前記店舗固有情報及び前記決済用トークンに基づいて前記決済を行う決済処理装置に送信する送信部、
として機能させる決済用プログラム。
【請求項１３】
前記取得部は、前記表示部に前記決済金額が表示された状態で、前記店舗固有情報を取得する、
請求項１２に記載の決済用プログラム。
【請求項１４】
前記送信部は、前記店舗固有情報、前記決済金額、及び前記決済用トークンの少なくともいずれかを異なるタイミングで前記決済処理装置に送信する、
請求項１２又は１３に記載の決済用プログラム。
【請求項１５】
前記送信部は、前記決済用トークンを前記決済処理装置に送信し、前記決済用トークンの送信後に、前記取得部が前記店舗固有情報を取得したタイミングで前記決済金額及び前記店舗固有情報を前記決済処理装置に送信する、
請求項１４に記載の決済用プログラム。
【請求項１６】
前記受付部は、前記取得部が前記店舗固有情報を取得する場合に、前記決済金額の変更を受け付けないように制御する、
請求項１２から１５のいずれか１項に記載の決済用プログラム。
【請求項１７】
前記送信部は、前記取得部による前記店舗固有情報の取得後、前記ユーザによる送信操作を受け付けずに、前記店舗固有情報を前記決済処理装置に送信する、
請求項１２から１６のいずれか１項に記載の決済用プログラム。
【発明の詳細な説明】
【技術分野】
【０００１】
本発明は、決済処理方法、決済処理装置及び決済用プログラムに関する。
【背景技術】
【０００２】
ＱＲコード（登録商標）等の二次元バーコードを用いたコード決済が普及している。例えば、特許文献１には、ユーザ端末で店舗側が用意したコードを読み取り後、ユーザが端末を操作して購入金額を決定して、決済要求を行う方法が開示されている。
【先行技術文献】
【特許文献】
【０００３】
【特許文献１】特許第６２７１８００号公報
【発明の概要】
【発明が解決しようとする課題】
【０００４】
特許文献１に記載の決済方法では、ユーザが購入金額を決定するものであることから、ユーザが誤って購入金額を入力したり、故意に商品の購入金額よりも低い購入金額を入力したりすることで、正しい購入金額で決済されないことがある。これに対し、決済事業者は、ユーザが入力した金額が正しい金額であるか否かを把握することができない。このため、誤った金額で決済されることを抑制することが求められている。
【０００５】
そこで、本発明はこれらの点に鑑みてなされたものであり、誤った金額で決済されることを抑制することができる決済処理方法、決済処理装置及び決済用プログラムを提供することを目的とする。
【課題を解決するための手段】
【０００６】
本発明の第１の態様に係る決済処理方法は、コンピュータが実行する、店舗で決済を行うための決済用コードを生成するための決済用トークンを記憶部に記憶させるとともに、前記店舗を識別する店舗識別情報と、前記店舗に固有の店舗固有情報を記憶部に記憶させるステップと、前記店舗において決済を行うユーザの端末から、前記ユーザの前記店舗における決済金額と、前記店舗固有情報と、前記決済用トークンとを受信するステップと、前記端末から受信した前記店舗固有情報が前記記憶部に記憶されている場合に、前記端末から受信した前記決済金額と、前記端末から受信した前記決済用トークンとに基づいて決済を実行するステップと、を有する。
【０００７】
本発明の第２の態様に係る決済処理装置は、店舗で決済を行うための決済用コードを生成するための決済用トークンを記憶部に記憶させるとともに、前記店舗を識別する店舗識別情報と、前記店舗に固有の店舗固有情報を記憶部に記憶させる記憶制御部と、前記店舗において決済を行うユーザの端末から、前記ユーザの前記店舗における決済金額と、前記店舗固有情報と、前記決済用トークンとを受信する決済用情報受信部と、前記端末から受信した前記店舗固有情報が前記記憶部に記憶されている場合に、前記端末から受信した前記決済金額と、前記端末から受信した前記決済用トークンとに基づいて決済を実行する決済処理部と、を有する。
【０００８】
本発明の第３の態様に係る決済用プログラムは、コンピュータを、ユーザから、店舗における決済金額の入力を受け付ける受付部、前記受付部が入力を受け付けた前記決済金額を表示部に表示させる表示制御部、画像を読み取る読取部が読み取った決済を行うための決済用コードを取得するとともに、前記決済用コードと異なる前記店舗に固有の店舗固有情報を取得する取得部、前記受付部が入力を受け付けた前記決済金額と、前記取得部が取得した前記店舗固有情報と、前記決済用コードが示す決済用トークンとを前記決済を行う決済処理装置に送信する送信部、として機能させる。
【発明の効果】
【０００９】
本発明によれば、誤った金額で決済されることを抑制することができるという効果を奏する。
【図面の簡単な説明】
【００１０】
【図１】決済システムの概要を示す図である。
【図２】決済処理装置の機能構成を示す図である。
【図３】ユーザ端末の機能構成を示す図である。
【図４】決済金額、決済用トークン及び店舗固有情報を取得するための画面を示す図である。
【図５】店舗端末の機能構成を示す図である。
【図６】決済システムの動作シーケンス図である。
【図７】図６に続く動作シーケンス図である。
【発明を実施するための形態】
【００１１】
［決済システムＳの概要］
図１は、決済システムＳの概要を示す図である。決済システムＳは、ユーザが店舗において商品又はサービスを購入する場合に、決済用コードを店舗端末に表示させ、ユーザ端末で決済用コードを読み取ったことを決済処理装置で特定したことに応じて決済を行うシステムである。決済用コードは、店舗での精算に用いられる店舗側の端末において読み取れるテキスト又は画像であり、決済時に用いられるコードである。なお、以下の説明において、商品又はサービスをまとめて、単に商品という。
【００１２】
決済システムＳは、決済処理装置１と、ユーザ端末２と、店舗端末３とを備える。決済処理装置１は、購入金額の決済を行うサーバである。ユーザ端末２は、ユーザが使用する情報端末であり、例えばスマートフォン、タブレット又はパーソナルコンピュータである。店舗端末３は、例えばＰＯＳ端末である。
【００１３】
本実施形態において、決済処理装置１は、店舗端末３が、店舗にユーザが来店し決済を行う場合に表示した決済用コードを読み取ったユーザ端末２から、当該決済用コードと、ユーザが、当該ユーザ端末２に入力した決済金額を取得することにより決済を実行する。
以下、図１を参照しながら、決済が完了するまでの流れを説明する。
【００１４】
店舗端末３は、ユーザが商品を購入する前に、予め決済用コードの発行要求と、店舗に関する店舗情報とを決済処理装置１に送信する（図１における（１））。店舗情報は、例えば店舗名、店舗に入金するための金融機関の口座番号等の店舗を識別するための店舗識別情報であるものとするが、店舗ＩＤを含んでもよい。
【００１５】
決済処理装置１は、店舗端末３から、決済用コードの発行要求と、店舗情報とを受信すると、決済用トークンを生成する（図１における（２））。決済用トークンは、店舗端末３がユーザに提示する決済用コードを店舗端末３が生成する際に用いるデータ列である。決済処理装置１は、生成した決済用トークンと、店舗情報を基に生成した店舗ＩＤとを関連付けて予め記憶媒体に記憶する（図１における（３））。生成される決済用トークンは、店舗ＩＤを含んでもよい。
【００１６】
決済処理装置１は、生成した決済用トークンを店舗端末３に送信する（図１における（４））。決済処理装置１は、決済用トークンを暗号化した後に、暗号化した決済用トークンを店舗端末３に送信してもよい。店舗端末３は、決済用トークンを受信すると、受信した決済用トークンを記憶部に記憶する。これにより、店舗端末３は、決済時に決済処理装置１に決済用トークンの発行を要求することなく記憶部に記憶されている決済用トークンに基づいて決済用コードを表示することができる。
【００１７】
ユーザは、店舗において商品の購入を行う。店舗における店員は、ユーザが店舗において会計を行う場合に、店舗端末３において購入対象の商品に付されたバーコードを読み取る。店舗端末３は、ユーザが購入する商品の合計額を示す店舗における決済金額を算出して表示する。また、店員は、店舗端末３において、決済用コードを店舗端末３に表示させるための操作を行う。店舗端末３は、受信した決済用トークンに基づいて決済用コードを生成して表示させる（図１における（５））。
【００１８】
ユーザ端末２は、例えばユーザの操作により、店舗端末３に表示された決済用コードを読み取る（図１における（６））。ユーザ端末２は、ユーザから、店舗が提示した決済金額の入力を受け付けるとともに（図１における（７））、店舗に固有の店舗固有情報を取得する（図１における（８））。店舗固有情報は、店舗の店員がユーザの店舗における決済金額を確認したことを特定するために用いられる情報とすることができ、例えば店舗の店員が入力した情報である。ユーザ端末２は、ユーザを識別するユーザＩＤと、決済金額と、店舗固有情報と、読み取った決済用コードが示す決済用トークンとを決済処理装置１に送信する（図１における（９））。
【００１９】
決済処理装置１は、ユーザ端末２からユーザＩＤと、決済金額と、店舗固有情報と、決済用トークンとを受信すると、受信した決済用トークンが、店舗端末３に送信した決済用トークンと一致するか否かを判定する。決済処理装置１は、決済用トークンが一致すると判定した場合に、受信した店舗固有情報が正しいか否かを判定する。決済処理装置１は、店舗固有情報が正しいと判定すると、受信した決済用トークンと関連付けられて記憶されている店舗ＩＤ又は決済用トークンに含まれている店舗ＩＤと、受信したユーザＩＤ及び決済金額とに基づいて決済処理を実行する（図１における（１０））。
【００２０】
決済システムＳが以上のように動作することで、決済処理装置１は、ユーザ端末２に入力された店舗固有情報が正しい場合に決済を行うことができるので、誤った金額で決済されることを抑制することができる。
以下、決済処理装置１、ユーザ端末２及び店舗端末３の構成の詳細を説明する。
【００２１】
［決済処理装置１の機能構成］
図２は、決済処理装置１の機能構成を示す図である。決済処理装置１は、通信部１１と、記憶部１２と、制御部１３とを有する。
【００２２】
通信部１１は、インターネット等のネットワークを介してユーザ端末２及び店舗端末３とデータを送受信するための通信インターフェースである。
【００２３】
記憶部１２は、各種のデータを記憶する記憶媒体であり、ＲＯＭ（Read Only Memory）、ＲＡＭ（Random Access Memory）、及びハードディスク等を有する。記憶部１２は、制御部１３が実行するプログラムを記憶する。記憶部１２は、制御部１３を、発行要求受信部１３１、トークン送信部１３２、記憶制御部１３３、決済用情報受信部１３４、及び決済処理部１３５として機能させる決済用プログラムを記憶する。また、記憶部１２は、店舗ＩＤと、店舗固有情報とを関連付けて記憶する。
【００２４】
制御部１３は、例えばＣＰＵ（Central Processing Unit）である。制御部１３は、記憶部１２に記憶された決済用プログラムを実行することにより、発行要求受信部１３１、トークン送信部１３２、記憶制御部１３３、決済用情報受信部１３４、及び決済処理部１３５として機能する。制御部１３の各部の動作の詳細については後述する。
【００２５】
［ユーザ端末２の機能構成］
図３は、ユーザ端末２の機能構成を示す図である。ユーザ端末２は、操作部２１と、通信部２２と、読取部２３と、表示部２４と、記憶部２５と、制御部２６とを有する。制御部２６は、操作受付部２６１と、表示制御部２６２と、取得部２６３と、送信部２６４とを有する。
【００２６】
操作部２１は、ユーザの操作を受け付ける操作デバイスであり、例えば表示部２４の表面に設けられたタッチパネルである。操作部２１は、ユーザがタッチした位置を示す信号を操作受付部２６１に通知する。
【００２７】
通信部２２は、例えば携帯電話網の基地局との間でデータを送受信するための無線通信インターフェースである。通信部２２は、取得した決済用トークン等を決済処理装置１に送信する。
【００２８】
読取部２３は、例えば、カメラであり、決済用コード等の画像を読み取る。読取部２３は、店舗端末３に表示された決済用コードを読み取る。
表示部２４は、各種の情報を表示するディスプレイである。
【００２９】
記憶部２５は、ＲＯＭ及びＲＡＭ等を含む記憶媒体である。記憶部２５は、制御部２６が実行するプログラムを記憶している。記憶部２５は、制御部２６を、操作受付部２６１、表示制御部２６２、取得部２６３、及び送信部２６４として機能させるプログラムを記憶する。
【００３０】
制御部２６は、例えばＣＰＵであり、記憶部２５に記憶されたプログラムを実行することにより、操作受付部２６１、表示制御部２６２、取得部２６３、及び送信部２６４として機能する。
【００３１】
操作受付部２６１、表示制御部２６２、取得部２６３は協働することにより、ユーザが店舗で決済を行うために必要な情報である、ユーザの店舗における決済金額、決済用トークン、及び店舗固有情報を取得する。図４は、決済金額、決済用トークン及び店舗固有情報を取得するための画面を示す図である。
【００３２】
具体的には、まず、操作受付部２６１は、操作部２１から入力された信号に基づいて、店舗において決済を行う操作が行われたことを検出すると、表示制御部２６２を制御して、図４（ａ）に示す決済用コードを読み取ることを指示する読取指示画面を表示部２４に表示させる。取得部２６３は、読取指示画面が表示部２４に表示されると、読取部２３を駆動して、決済用コードの読取を開始させる。取得部２６３は、読取部２３が読み取った決済用コードを取得し、当該決済用コードが示す決済用トークンを取得する。
【００３３】
続いて、操作受付部２６１は、表示制御部２６２を制御して、図４（ｂ）に示す決済金額の入力を受け付ける金額入力欄を有する受付画面を表示部２４に表示させ、ユーザから、店舗における決済金額の入力を受け付ける。
【００３４】
表示制御部２６２は、操作受付部２６１が入力を受け付けた決済金額を表示部２４に表示させる。具体的には、操作受付部２６１は、表示制御部２６２を制御して、操作受付部２６１が入力を受け付けた決済金額を表示するとともに、店舗の店員が決済金額を確認したことを示す店舗固有情報の取得を受け付ける確認情報受付画面を表示させる。取得部２６３は、確認情報受付画面を介して入力された店舗固有情報を取得する。
【００３５】
図４（ｃ）は、確認情報受付画面の一例を示す図である。確認情報受付画面では、決済金額が表示されているものの、決済金額の編集を行うことができないように制御されている。すなわち、操作受付部２６１は、店舗固有情報を取得するタイミングで決済金額が取得できないように制御する。なお、確認情報受付画面には、「戻る」と表示されたボタンが設けられており、操作受付部２６１が、このボタンを押下する操作を受け付けると、図４（ｂ）に示す受付画面が表示部２４に表示される。
【００３６】
ここで、店舗固有情報は、例えば、パスワードであるが、これに限らない。店舗固有情報は、店員の目の虹彩や声等の生体情報であってもよい。操作受付部２６１は、生体情報として、店員の音声を取得する場合、例えば、図４（ｂ）に示す画面を表示中に、ユーザ端末２に設けられているマイク（非表示）をオンにし、周囲の音声を取得する。
【００３７】
また、操作受付部２６１は、生体情報として、店員の虹彩を取得する場合、図４（ｂ）において決済金額が入力された後、図４（ｄ）に示す確認情報受付画面を表示させる。すなわち、図４（ｄ）には、店員にユーザ端末２０の画面を表示させる旨を示すメッセージが表示されており、操作受付部２６１は、図４（ｄ）に示す画面が表示されている間、ユーザ端末２０に設けられているインカメラ（非表示）を動作させて、周囲を撮像する。操作受付部２６１は、例えば顔認識処理を行い、顔を認識した時点で、認識した顔を店員の顔と仮定し、当該店員の顔に含まれる虹彩を取得する。
【００３８】
また、店舗固有情報は、手を振る動作や所定のサインを示すジェスチャー情報であってもよい。操作受付部２６１は、ジェスチャー情報を取得する場合も、図４（ｂ）において決済金額が入力された後、図４（ｄ）に示す確認情報受付画面を表示させる。そして、操作受付部２６１は、図４（ｄ）に示す画面が表示されている間、ユーザ端末２０に設けられているインカメラを動作させて、所定時間にわたって周囲を撮像する。操作受付部２６１は、例えば、画像認識処理を行い、撮像された手の動きを特定することにより、ジェスチャー情報を取得する。
【００３９】
送信部２６４は、ユーザＩＤと、操作受付部２６１が入力を受け付けた決済金額と、取得部２６３が取得した店舗固有情報と、決済用トークンとを決済処理装置１に送信する。ここで、送信部２６４は、操作受付部２６１が店舗固有情報として生体情報又はジェスチャー情報を取得する場合には、店舗固有情報と、決済金額と、決済用トークンとの少なくともいずれかを異なる送信タイミングで決済処理装置１に送信してもよい。
【００４０】
例えば、送信部２６４は、操作受付部２６１が店舗固有情報として生体情報又はジェスチャー情報を取得する場合、ユーザＩＤと決済用トークンとを先に決済処理装置１に送信しておき、店舗固有情報を取得したタイミングで、ユーザＩＤと当該店舗固有情報と決済金額とを関連付けて、自動的に決済処理装置１に送信してもよい。送信部２６４は、店舗固有情報を複数取得した場合、複数の店舗固有情報のそれぞれを取得したタイミングで、取得した店舗固有情報と、ユーザＩＤとを関連付けて、自動的に決済処理装置１に送信してもよい。ここで、送信部２６４は、ユーザＩＤを先に送信しておき、店舗固有情報を取得したタイミングで当該店舗固有情報を決済処理装置１に送信してもよい。
【００４１】
また、送信部２６４は、店舗固有情報を取得したタイミングで、ユーザ端末２の操作部２１を介して、当該店舗固有情報の決済処理装置１への送信操作を受け付けてもよい。そして、送信部２６４は、送信操作を受け付けたことに応じて、取得した店舗固有情報を決済処理装置１に送信してもよい。送信部２６４は、決済処理装置１から応答情報として店舗固有情報が正しいことを示す情報を受信したことに応じて、決済金額を決済処理装置１に送信してもよい。
【００４２】
また、送信部２６４は、決済処理装置１から応答情報として、決済金額を取得してから所定期間内に、店舗固有情報が正しいことを示す情報を受信できなかった場合に、決済金額及び決済用トークンを決済処理装置１に送信しないようにしてもよい。そして、表示制御部２６２は、店舗固有情報が正しいことを示す情報を受信できなかったことにより決済を行うことができないことを示すエラー情報を表示部２４に表示させるようにしてもよい。
【００４３】
［店舗端末３の機能構成］
図５は、店舗端末３の機能構成を示す図である。店舗端末３は、操作部３１と、読取部３２と、通信部３３と、表示部３４と、記憶部３５と、制御部３６とを有する。
【００４４】
操作部３１は、ユーザの操作を受け付ける操作デバイスであり、例えばユーザが購入する商品を選択するためのボタンや、表示部３４の表面に設けられたタッチパネルである。
【００４５】
読取部３２は、例えば、バーコードリーダであり、ユーザが購入する商品に付されているバーコードを読み取る。読取部３２は、読み取ったバーコードが示す情報を制御部３６に出力する。
【００４６】
通信部３３は、例えば決済処理装置１との間でデータを送受信するための通信インターフェースである。通信部３３は、制御部３６の制御に応じて、決済用コードの発行要求、店舗ＩＤ等を決済処理装置１に送信する。また、通信部３３は、決済処理装置１から決済用トークンを受信する。
【００４７】
表示部３４は、各種の情報を表示するディスプレイである。表示部３４は、例えば、決済金額や決済用コードを表示する。
【００４８】
記憶部３５は、ＲＯＭ及びＲＡＭ等を含む記憶媒体である。記憶部３５は、制御部３６が実行するプログラムを記憶している。記憶部３５は、制御部３６を、発行要求部３６１、トークン受信部３６２、確認情報登録部３６３、金額表示部３６４、及びコード生成部３６５として機能させるプログラムを記憶する。また、記憶部３５は、商品ＩＤと、商品の価格とを関連付けた商品ＤＢを記憶する。
【００４９】
制御部３６は、例えばＣＰＵであり、記憶部３５に記憶されたプログラムを実行することにより、発行要求部３６１、トークン受信部３６２、確認情報登録部３６３、金額表示部３６４、及びコード生成部３６５として機能する。
【００５０】
発行要求部３６１は、決済用コードの発行要求を決済処理装置１に送信する。具体的には、発行要求部３６１は、操作部３１が、決済用コードの発行要求を行う操作を受け付けると、店舗情報と、決済用コードの発行要求とを決済処理装置１に送信する。
【００５１】
トークン受信部３６２は、発行要求部３６１が決済用コードの発行要求を決済処理装置１に送信した後に、決済処理装置１から、決済用コードを表示するための決済用トークンを受信する。トークン受信部３６２は、受信した決済用トークンを記憶部３５に記憶させる。
【００５２】
確認情報登録部３６３は、店舗固有情報の登録要求を決済処理装置１に送信する。具体的には、確認情報登録部３６３は、操作部３１が、店舗固有情報の登録要求を行う操作を受け付けると、操作部３１を介して、店舗固有情報の入力を受け付ける。確認情報登録部３６３は、受け付けた店舗固有情報と、店舗情報とを含む店舗固有情報の登録要求を決済処理装置１に送信する。
【００５３】
金額表示部３６４は、操作部３１において店員が入力した商品ＩＤ又は読取部３２が商品に付されたバーコードから読み取った商品ＩＤを取得することにより、取得した商品ＩＤの商品を決済対象の商品と特定する。金額表示部３６４は、記憶部３５に記憶されている商品ＤＢを参照し、取得した商品ＩＤに関連付けられている商品の価格を特定する。金額表示部３６４は、操作部３１において店員が入力した商品ＩＤ又は読取部３２が商品に付されたバーコードから読み取った商品ＩＤを一以上取得し、当該商品ＩＤから特定した商品の価格を集計する。金額表示部３６４は、操作部３１において精算操作を受け付けると、集計した商品の価格を決済金額に決定し、表示部３４に表示させる。
【００５４】
コード生成部３６５は、操作部３１において精算操作を受け付けると、記憶部３５に記憶されている決済用トークンに基づいて決済用コードを生成し、生成した決済用コードを表示部３４に表示させる。
【００５５】
［制御部１３の各部の動作］
続いて、制御部１３の各部の動作について説明する。
発行要求受信部１３１は、店舗端末３から、店舗情報と、決済用コードの発行要求とを受信する。
【００５６】
トークン送信部１３２は、発行要求受信部１３１が決済用コードの発行要求を受信すると、決済用コードを生成するための決済用トークンを店舗端末３に送信する。具体的には、まず、トークン送信部１３２は、発行要求受信部１３１が決済用コードの発行要求を受信すると、決済用トークンを生成する。トークン送信部１３２は、生成した決済用トークンを、決済用コードの発行要求を送信した店舗端末３に送信する。
【００５７】
記憶制御部１３３は、発行要求受信部１３１が受信した店舗情報に基づく店舗ＩＤと、トークン送信部１３２が生成した決済用トークンとを関連付けて記憶部１２に記憶させる。また、記憶制御部１３３は、店舗端末３から、店舗固有情報と、店舗情報とを含む店舗固有情報の登録要求を受信すると、受信した店舗情報に基づく店舗ＩＤと、店舗固有情報とを関連付けて記憶部１２に記憶させる。
【００５８】
上述したように店舗固有情報は、パスワードである。したがって、記憶制御部１３３は、店舗端末３から受信した店舗情報に基づく店舗ＩＤと、店舗固有情報としてのパスワードとを関連付けて記憶部１２に記憶させる。なお、店舗固有情報が、店員の虹彩又は声等の生体情報である場合、記憶制御部１３３は、店舗ＩＤと、店舗固有情報としての生体情報とを関連付けて記憶部１２に記憶させる。また、店舗固有情報がジェスチャー情報である場合、記憶制御部１３３は、店舗ＩＤと、店舗固有情報としてのジェスチャー情報とを関連付けて記憶部１２に記憶させる。なお、記憶制御部１３３は、店舗固有情報と、決済用トークンとを関連付けて記憶部１２に記憶させるようにしてもよい。
【００５９】
決済用情報受信部１３４は、トークン送信部１３２が送信した決済用トークンに基づいて店舗端末３が表示した決済用コードを読み取ったユーザ端末２から、ユーザＩＤと、ユーザの店舗における決済金額と、店舗固有情報と、決済用トークンとを受信する。
【００６０】
決済処理部１３６は、ユーザ端末２から受信した店舗固有情報が記憶部１２に記憶されている場合、ユーザ端末２から受信したユーザＩＤ及び決済金額と、ユーザ端末２から受信した決済用トークンに対応する店舗ＩＤとに基づいて決済を実行する。
【００６１】
具体的には、決済処理部１３６は、ユーザ端末２から受信した決済用トークンに関連付けて記憶部１２に記憶されている店舗ＩＤを特定する。決済処理部１３６は、ユーザ端末２から受信した店舗固有情報と、特定した店舗ＩＤとが関連付けられて記憶部１２に記憶されている場合、ユーザ端末２から受信したユーザＩＤ及び決済金額と、ユーザ端末２から受信した決済用トークンに対応する店舗ＩＤとに基づいて決済を実行する。ここで、店舗固有情報と、決済用トークンとが関連付けて記憶部１２に記憶されている場合、決済処理部１３６は、当該店舗固有情報に直接関連付けられている店舗ＩＤに基づいて決済を実行してもよい。また、決済用トークンに店舗ＩＤが含まれている場合、決済処理部１３６は、受信した決済用トークンに含まれている店舗ＩＤに基づいて決済を実行してもよい。
【００６２】
決済処理部１３６は、受信した店舗固有情報と、特定した店舗ＩＤとが関連付けられて記憶部１２に記憶されている場合、ユーザ端末２から受信した決済金額を、ユーザ端末２から受信したユーザＩＤで特定されるユーザの口座から引き落とす処理を実行する。また、決済処理部１３６は、受信した決済用トークンから特定した店舗ＩＤで特定される店舗の口座に、ユーザ端末２から受信した決済金額を入金する処理を実行する。決済処理部１３６は、決済金額から、決済処理装置１における決済手数料を差し引いた金額を、店舗の口座に入金してもよい。決済処理部１３６は、決済金額の決済が完了した場合、決済が完了したことを示す決済完了情報を店舗端末３に送信する。
【００６３】
決済処理部１３６は、ユーザ端末２から受信した店舗固有情報と、特定した店舗ＩＤとが関連付けられて記憶部１２に記憶されていない場合、ユーザ端末２に、店舗固有情報が一致せず、決済が行われなかったことを示すエラー情報を通知するとともに、店舗固有情報の再入力を要求する。この場合、決済処理部１３６は、ユーザ端末２から受信した決済用トークンが、記憶部１２に記憶されている決済用トークン、すなわち、店舗端末３に送信した決済用トークンと一致することを示す情報をユーザ端末２に通知してもよい。このようにすることで、ユーザ端末２のユーザや店舗の店員が、店舗固有情報が一致しないことにより決済が行われないことを確認し、店員が、店舗固有情報の再入力を行うことができる。
【００６４】
なお、ユーザ端末２が、店舗固有情報と、決済金額及び決済用トークンとを異なるタイミングで送信する場合、決済処理部１３６は、ユーザ端末２から受信した店舗固有情報と、店舗ＩＤとが関連付けられていることに応じて、店舗固有情報が正しいことを示す情報をユーザ端末２に送信してもよい。そして、決済処理部１３６は、店舗固有情報が正しいことを示す情報をユーザ端末２に送信した後に、決済金額及び決済用トークンを受信してもよい。
【００６５】
［動作シーケンス］
図６は、決済システムＳの動作シーケンス図である。図７は、図６に続く動作シーケンス図である。
図６に示すシーケンス図は、店舗端末３が決済用コード発行要求を送信するところから開始している。店舗端末３の発行要求部３６１は、店舗情報と、決済用コードの発行要求とを決済処理装置１に送信する（Ｓ１）。
【００６６】
決済処理装置１の発行要求受信部１３１は、店舗端末３から、店舗情報と、決済用コードの発行要求とを受信する。トークン送信部１３２は、発行要求受信部１３１が決済用コードの発行要求を受信すると、決済用トークンを生成する（Ｓ２）。記憶制御部１３３は、発行要求受信部１３１が受信した店舗情報に基づく店舗ＩＤと、トークン送信部１３２が生成した決済用トークンとを関連付けて記憶部１２に記憶させる（Ｓ３）。
【００６７】
トークン送信部１３２は、生成した決済用トークンを、決済用コードの発行要求を送信した店舗端末３に送信する（Ｓ４）。店舗端末３のトークン受信部３６２は、決済処理装置１から決済用トークンを受信する。トークン受信部３６２は、受信した決済用トークンを記憶部３５に記憶させる（Ｓ５）。
【００６８】
確認情報登録部３６３は、操作部３１を介して入力を受け付けた店舗固有情報と、店舗情報とを含む店舗固有情報の登録要求を決済処理装置１に送信する（Ｓ６）。決済処理装置１の記憶制御部１３３は、店舗端末３から、店舗固有情報と、店舗情報とを含む店舗固有情報の登録要求を受信すると、受信した店舗情報に基づく店舗ＩＤと、店舗固有情報とを関連付けて記憶部１２に記憶させる（Ｓ７）。
【００６９】
図７に処理を移す。店舗において、ユーザは、購入する商品を選択し、店舗端末３を使用する店員に選択した商品を持ち込む。店舗端末３の金額表示部３６４は、操作部３１において店員が入力した商品ＩＤ又は読取部３２が商品に付されたバーコードから読み取った商品ＩＤを一以上取得し、当該商品ＩＤから特定した商品の価格を集計した決済金額を表示部３４に表示させる（Ｓ８）。コード生成部３６５は、記憶部３５に記憶されている決済用トークンに基づく決済用コードを生成し、生成した決済用コードを表示部３４に表示させる（Ｓ９）。
【００７０】
ユーザは、ユーザ端末２を操作して、店舗端末３に表示された決済用コードをユーザ端末２に読み取らせる（Ｓ１０）。操作受付部２６１は、ユーザから、ユーザの店舗における決済金額の入力を受け付ける（Ｓ１１）。取得部２６３は、店員が入力した店舗固有情報を取得する（Ｓ１２）。送信部２６４は、ユーザ端末２のユーザのユーザＩＤと、操作受付部２６１が入力を受け付けた決済金額と、取得部２６３が取得した店舗固有情報と、決済用トークンとを決済処理装置１に送信する（Ｓ１３）。
【００７１】
決済処理装置１の決済用情報受信部１３４は、ユーザ端末２から、ユーザＩＤと、ユーザの店舗における決済金額と、店舗固有情報と、決済用トークンとを受信する。
【００７２】
決済処理部１３６は、ユーザ端末２から受信した決済用トークンに関連付けて記憶部１２に記憶されている店舗ＩＤを特定する（Ｓ１４）。決済処理部１３６は、ユーザ端末２から受信した店舗固有情報と、特定した店舗ＩＤとが関連付けられて記憶部１２に記憶されているかを判定する（Ｓ１５）。
【００７３】
決済処理部１３６は、受信した店舗固有情報と、特定した店舗ＩＤとが関連付けられて記憶部１２に記憶されている場合、ユーザ端末２から受信したユーザＩＤ及び決済金額と、ユーザ端末２から受信した決済用トークンに対応する店舗ＩＤとに基づいて決済を実行する（Ｓ１６）。決済処理部１３６は、決済が完了したことを示す決済完了情報をユーザ端末２に送信する（Ｓ１７）。ユーザ端末２の表示制御部２６２は、決済完了情報を表示部２４に表示させる（Ｓ１８）。
【００７４】
［変形例］
本実施形態において、ユーザ端末２は、決済用コードを読み取ってから決済金額を受け付け、店舗固有情報を取得したが、これに限らない。ユーザ端末２は、決済金額を受け付け、店舗固有情報を取得してから、決済用コードを読み取ってもよい。
【００７５】
また、本実施形態において、コード生成部３６５が、ユーザが商品を購入する際に、記憶部３５に記憶されている決済用トークンに基づいて決済用コードを生成し、表示部３４に表示させたが、これに限らない。店舗端末３の店員は、店舗端末３に決済用コードを表示させる代わりに、決済用コードを予め紙等に印刷しておき、ユーザが商品を購入する際に、紙等に印刷された決済用コードをユーザに提示してもよい。
【００７６】
また、本実施形態において、店舗端末３が決済用コード発行要求を送信し、決済処理装置１から決済用トークンを受信し、当該決済用トークンを記憶部３５に記憶させることとしたが、これに限らない。例えば、ユーザ端末２により決済用コードの発行要求を行わずに、郵送等の手段により決済処理装置１の事業者に決済用コードの発行を申請し、店舗側が、当該事業者から紙に印刷された決済用コードを取得してもよい。そして、店舗の店員は、ユーザが商品を購入する際に当該決済用コードをユーザに提示してもよい。
【００７７】
また、本実施形態において、ユーザ端末２の送信部２６４は、ユーザＩＤと、操作受付部２６１が入力を受け付けた決済金額と、取得部２６３が取得した店舗固有情報と、決済用トークンとを同時に決済処理装置１に送信したが、これに限らない。ユーザ端末２の送信部２６４は、ユーザＩＤと、操作受付部２６１が入力を受け付けた決済金額とを決済処理装置１に送信する前に、取得部２６３が取得した店舗固有情報と決済用トークンとを決済処理装置１に送信してもよい。この場合、決済処理装置１の決済処理部１３６は、受信した決済用トークンに対応する店舗ＩＤに関連付けられて記憶部１２に記憶されている店舗固有情報と、受信した店舗固有情報とが一致するかを判定する。そして、決済処理部１３６は、店舗固有情報が一致する場合に、ユーザ端末２から、決済金額と、ユーザＩＤとを受信してもよい。
【００７８】
［決済システムＳによる効果］
以上説明したように、決済処理装置１は、店舗端末３から、店舗ＩＤと決済用コードの発行要求とを受信すると、決済用トークンを店舗端末３に送信するとともに、店舗の店員がユーザの店舗における決済金額を確認したことを示す店舗固有情報を記憶部１２に記憶させる。決済処理装置１は、決済用トークンに基づいて店舗端末３が表示した決済用コードを読み取ったユーザ端末２から、ユーザＩＤと、ユーザの店舗における決済金額と、店舗固有情報と、決済用トークンとを受信する。決済処理装置１は、受信した店舗固有情報が記憶部１２に記憶されている場合に、ユーザ端末２から受信したユーザＩＤ及び決済金額と、ユーザ端末２から受信した前記決済用トークンに対応する店舗ＩＤとに基づいて決済を実行する。このようにすることで、決済処理装置１は、誤った金額で決済されることを抑制することができる。
【００７９】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００８０】
１  決済処理装置
２  ユーザ端末
３  店舗端末
１１  通信部
１２  記憶部
１３  制御部
２１  操作部
２２  通信部
２３  読取部
２４  表示部
２５  記憶部
２６  制御部
３１  操作部
３２  読取部
３３  通信部
３４  表示部
３５  記憶部
３６  制御部
１３１  発行要求受信部
１３２  トークン送信部
１３３  記憶制御部
１３４  決済用情報受信部
１３５  決済処理部
２６１  操作受付部
２６２  表示制御部
２６３  取得部
２６４  送信部
３６１  発行要求部
３６２  トークン受信部
３６３  確認情報登録部
３６４  金額表示部
３６５  コード生成部
【要約】
【課題】誤った金額で決済されることを抑制する。
【解決手段】決済処理装置１は、店舗で決済を行うための決済用コードを生成するための決済用トークンを記憶部１２に記憶させるとともに、店舗を識別する店舗ＩＤと、店舗に固有の店舗固有情報を記憶部１２に記憶させる記憶制御部１３３と、店舗において決済を行うユーザのユーザ端末２から、ユーザの店舗における決済金額と、店舗固有情報と、決済用トークンとを受信する決済用情報受信部１３４と、受信した店舗固有情報が記憶部１２に記憶されている場合に、受信した決済金額と、受信した決済用トークンとに基づいて決済を実行する決済処理部１３５と、を有する。
【選択図】図２【図１】
0006955053.tif 000002
【図２】
0006955053.tif 000003
【図３】
0006955053.tif 000004
【図４】
0006955053.tif 000005
【図５】
0006955053.tif 000006
【図６】
0006955053.tif 000007
【図７】
0006955053.tif 000008